(57)【要約】【課題】電池以外で火災が発生しても、火災の電池への延焼を抑制でき、早急に消火することができる蓄電装置の消火システム、及び蓄電装置の消火方法を提供すること。【解決手段】複数の電池６と該複数の電池６と接続し充電量を監視する制御ユニット７との各々に近接して設置された複数のセンサ２により、火災を感知した場合に第一の信号を各々出力し、消火手段３により、センサ２の第一の信号の出力に基づき、消火ガスを放出し、複数の電池６制御ユニット７の各々が、消火ガスのうち少なくとも一部を、複数の電池６と制御ユニット７のいずれかへ放出する複数のノズル４の少なくとも１つの放出先に設定されているようにする。【選択図】      図1
2016002419.tif 000002
【特許請求の範囲】
【請求項１】
複数の電池と該複数の電池と接続し充電量を監視する制御ユニットとの各々に近接して設置され、火災を感知した場合に第一の信号を各々出力する複数のセンサと、
前記センサの前記第一の信号の出力に基づき、消火ガスを放出する消火手段と、
前記消火ガスのうち少なくとも一部を、前記複数の電池と前記制御ユニットのいずれかへ放出する複数のノズルと、
を備え、
前記複数の電池と前記制御ユニットの各々が、前記複数のノズルの少なくとも１つの放出先に設定されていることを特徴とする蓄電装置の消火システム。
【請求項２】
前記複数のセンサから前記第一の信号として火災感知信号を各々受け、前記消火手段に放出を指示する第二の信号を出力する制御部を更に有し、
前記消火手段は、前記制御部から前記第二の信号を受け消火ガスを放出する、
ことを特徴とする請求項１記載の蓄電装置の消火システム。
【請求項３】
前記制御部は、複数の前記センサのうちの前記火災感知信号を出力したセンサに対応する前記ノズルへ導かれる前記消火手段が放出したガスの通路を開かせ、前記ノズルに前記消火ガスを放出させる、
ことを特徴とする請求項２記載の蓄電装置の消火システム。
【請求項４】
前記制御ユニットは、電圧モニタラインで前記電池の電極に接続し、前記電池の電圧をモニタして充電量を常時監視する、
ことを特徴とする請求項１、２又は３記載の蓄電装置の消火システム。
【請求項５】
前記消火ガスは二酸化炭素を含む不活性ガスである、ことを特徴とする請求項１、２、３又は４記載の蓄電装置の消火システム。
【請求項６】
前記消火手段はパイプにより複数の前記ノズルと接続する、ことを特徴とする請求項１、２、３、４又は５記載の蓄電装置の消火システム。
【請求項７】
複数の電池と該複数の電池と接続し充電量を監視する制御ユニットとから火災を感知し、
火災の感知に基づき、消火ガスを放出し、
前記複数の電池と前記制御ユニットの各々が、前記消火ガスのうち少なくとも一部を、前記複数の電池と前記制御ユニットのいずれかへ放出する前記複数のノズルの少なくとも１つの放出先に設定されていることを特徴とする蓄電装置の消火方法。
【請求項８】
火災の感知に基づき、複数の前記電池と、前記制御ユニットのうちの火災を感知したものへ放出する、
ことを特徴とする請求項７記載の蓄電装置の消火方法。
【請求項９】
前記制御ユニットは、電圧モニタラインで前記電池の電極に接続し、前記電池の電圧をモニタして充電量を常時監視する、
ことを特徴とする請求項７又は８記載の蓄電装置の消火方法。
【請求項１０】
前記消火ガスは二酸化炭素を含む不活性ガスである、ことを特徴とする請求項７、８又は９記載の蓄電装置の消火方法。
【発明の詳細な説明】
【技術分野】
【０００１】
本発明は、蓄電装置の消火システム、及び蓄電装置の消火方法に関し、早急に消火可能な蓄電装置の消火システム、及び蓄電装置の消火方法に関する。
【背景技術】
【０００２】
蓄電池としてリチウムイオン電池等を用いた蓄電システムに火災が発生した場合、この火災を消火する際に、電池の化学的な性質上水を用いることができない。一般に、二酸化炭素、窒素等の不活性ガスを火災が発生した部分(例えば、電池)に噴霧し、燃焼物への酸素を遮断し燃焼物を酸欠状態にすることにより、消火するようにしている。
【０００３】
不活性ガスを用いて燃焼物への酸素の遮断を行うことにより消火する技術が特許文献１に開示されている。特許文献１に開示のナトリウム−硫黄電池における消火方法及びその装置は、複数の収納ケースと、火災検出装置と、ガス放出用ボンベと、制御装置とにより構成されている。収納ケースには、複数のナトリウム−硫黄電池の単電池よりなる集合電池が収納されている。火災検出装置は、温度センサ等であり、各収納ケース内に配設され、収納ケース内に火災が発生して内部温度が所定値以上になったとき、火災検出信号を出力する。ガス放出用ボンベは、収納ケース内に窒素ガスを放出する。制御装置は、収納ケース内の火災検出装置から火災検出信号が入力されたとき、火災の発生した収納ケースに窒素ガスが放出されるように、ガス放出用ボンベと収納ケースとの間の各種弁を開放する。すなわち、複数の収納ケースのいずれかで火災事故が発生すると、火災検出装置から制御装置に火災検知信号が入力される。すると、制御装置の制御により、ガス放出用ボンベと収納ケースとの間の弁が開放されて、ガス放出用ボンベから収納ケース内に窒素ガスが放出される。これにより、収納ケース内の空気が薄められて酸欠状態となり、収納ケース内の火災が消火される。
【先行技術文献】
【特許文献】
【０００４】
【特許文献１】特開平５−３１７４４０号公報
【発明の概要】
【発明が解決しようとする課題】
【０００５】
上述した特許文献１に開示のナトリウム−硫黄電池における消火方法及びその装置は、火災検出装置を蓄電装置内の収納ケース（蓄電池）にのみ配置し、それ以外、例えば全体を制御する制御装置には配置していない。このため、火災検出装置を配置していない制御装置で火災が発生した場合、この火災が、化学的な性質上非常に燃えやすいナトリウム−硫黄電池等の蓄電池を収納した収納ケースに燃え移り、早急に消火できず大きな火災になるおそれがあるという問題がある。
【０００６】
本発明の目的は、上記課題を解決して、電池以外で火災が発生しても、火災の電池への延焼を抑制でき、早急に消火することができる蓄電装置の消火システム、及び蓄電装置の消火方法を提供することである。
【課題を解決するための手段】
【０００７】
本発明の蓄電装置の消火システムは、複数の電池と該複数の電池と接続し充電量を監視する制御ユニットとの各々に近接して設置され、火災を感知した場合に第一の信号を各々出力する複数のセンサと、前記センサの前記第一の信号の出力に基づき、消火ガスを放出する消火手段と、前記消火ガスのうち少なくとも一部を、前記複数の電池と前記制御ユニットのいずれかへ放出する複数のノズルと、を備え、前記複数の電池と前記制御ユニットの各々が、前記複数のノズルの少なくとも１つの放出先に設定されている。
【０００８】
本発明の蓄電装置の消火方法は、複数の電池と該複数の電池と接続し充電量を監視する制御ユニットとから火災を感知し、火災の感知に基づき、消火ガスを放出し、  、前記複数の電池と前記制御ユニットの各々が、前記消火ガスのうち少なくとも一部を、前記複数の電池と前記制御ユニットのいずれかへ放出する前記複数のノズルの少なくとも１つの放出先に設定されている。
【発明の効果】
【０００９】
本発明によれば、電池以外で火災が発生しても、火災の電池への延焼を抑制でき、早急に消火することができる蓄電装置の消火システム、及び蓄電装置の消火方法を提供することである。
【図面の簡単な説明】
【００１０】
【図１】本発明の第１の実施の形態に係る蓄電装置の消火システムの一例を示す図である。
【図２】本発明の第２の実施の形態に係る蓄電装置の消火システムの一例を示す図である。
【図３】本発明の第２の実施の形態に係る蓄電装置の消火システムの動作の一例を示すフローチャートである。
【発明を実施するための形態】
【００１１】
次に、本発明の実施の形態について図面を参照して説明する。
（第１の実施の形態）
図１は、本発明の第１の実施の形態に係る蓄電装置の消火システムの一例を示す図である。
【００１２】
本実施の形態に係る蓄電装置の消火システム１は、複数のセンサ２（火災検出装置）と、消火手段３と、複数のノズル４とにより構成される。図１には、本消火システムの消火対象である、リチウムイオン電池等の電池６（蓄電池）とこの電池６に接続し常時充電量を監視する制御ユニット７とを備えた蓄電装置も記載してある。
【００１３】
複数のセンサ２は、火災の感知対象の、複数の電池６（蓄電池）と制御ユニット７との各々に近接して設定し、煙、熱等により火災を感知し、第一の信号を各々出力する火災検出装置である。複数の電池６と制御ユニット７は、蓄電装置に備えられている。複数の電池６は、充放電、蓄電可能な電池である。制御ユニット７は、各々の電池６の電極に接続し過電流、過放電を防ぐために常時充電量を監視する。制御ユニット７は、電池６の電極に接続しているので、制御ユニット７内等であるいは接続途中でショート等により電池６から制御ユニット７に大電流が流れこみ発火のおそれがある。消火手段３は、センサ２の第一の信号の出力に基づき、消火ガス（不活性ガス）を放出する。複数のノズル４は、消火ガスのうち少なくとも一部を、複数の電池６と制御ユニット７のいずれかへ放出する。複数のノズル４は、複数の電池６と制御ユニット７の各々が、複数のノズル４の少なくとも１つの放出先に設定されている。複数のノズル４は、例えば、複数の電池６と、制御ユニット７の各々に対応して設定されていてもよい。そして、消火手段３が出力した消火ガスのうち少なくとも一部を、複数の電池６と、制御ユニット７のうちの少なくとも自身のノズル４に対応するものへ各々放出（噴霧）してもよい。
【００１４】
次に、本実施の形態の蓄電装置の消火システムの動作を説明する。
【００１５】
蓄電装置の備えた複数の電池６と制御ユニット７とのいずれかに火災事故が発生すると、火災事故が発生したものに対応するセンサ２が、第一の信号を出力する。そして、消火手段３は、第一の信号の出力に基づき、消火ガスを放出する。複数のノズル４は、消火手段３が放出した消火ガスを、例えば、少なくとも自身に対応する電池６又は制御ユニット７へ放出（噴霧）する。
【００１６】
このように、本発明の第１の実施の形態によれば、蓄電装置内の電池以外の制御装置にも火災検出装置を配置したので、電池以外の制御装置で火災が発生しても、制御装置の火災を消火することできる。このため、制御装置の火災の電池への延焼を抑制でき、早急に消火することができる。
（第２の実施の形態）
図２は、本発明の第２の実施の形態に係る蓄電装置の消火システムの一例を示す図である。
【００１７】
本発明の第２の実施の形態は、第１の実施の形態に制御部を付加し、第１の実施の形態の蓄電装置の消火システム１をより具体化したものである。したがって、主に第１の実施の形態と相違する部分について説明する。
【００１８】
本実施の形態に係る蓄電装置の消火システム１は、複数のセンサ２（火災検出装置）と、消火手段３と、複数のノズル４と、制御部５とにより構成される。
【００１９】
制御部５は、複数のセンサ２から第一の信号（火災感知信号）を各々受け、消火手段３に放出を指示する第二の信号（放出指示信号）を出力する。
【００２０】
消火手段３は、制御部５から第二の信号を受け消火ガスを放出する。消火ガスは、例えば二酸化炭素である。消火ガスは、二酸化炭素にこだわらず窒素等不活性ガスであればよい。消火手段３はパイプにより複数のノズル４と接続する。
【００２１】
制御部５は、複数のセンサ２のうちの火災感知信号を出力したセンサ２に対応するノズル４へ導かれる消火手段３が放出した消火ガスの通路を開かせ、ノズル４に消火ガスを放出（噴霧）させる。すなわち、制御部５は、ノズル４と消火手段３とを接続した消火ガスの通路となるパイプの途中に設定された例えば電磁弁（不図示）に電圧を印加して消火ガスの通路を開き、消火ガスを放出（噴霧）させる。電磁弁は、電圧の印加、不印加により、消火ガスの通路を開閉する機器である。
【００２２】
ノズル４は、消火手段３に接続されたパイプ内を通って供給される消火ガスを、複数の電池６と制御ユニット７のうちの自身のノズル４に対応したものへ放出（噴霧）する。
【００２３】
制御ユニット７は、電圧モニタラインで電池６の電極に接続し、電池６の電圧をモニタして現在の充電量を常時監視する。通常、電池６の電圧と電池６に溜まっている充電量との関係は予めわかっているので、電圧を測定することにより、現在の充電量が推定される。制御ユニット７は、現在の充電量が満杯（蓄電容量）に近い場合、充電を停めたり、現在の充電量が空に近い場合、放電を停めたりして、過充電、過放電を防いでいる。
【００２４】
尚、制御部５と、複数のセンサ２、複数のノズル４、及び消火手段３との接続は、ケーブル、電線等の有線であっても、無線であっても良い。
【００２５】
次に、本実施の形態の蓄電装置の消火システムの動作を、図３を使用して説明する。
【００２６】
図３は、本発明の第２の実施の形態に係る蓄電装置の消火システムの動作の一例を示すフローチャートである。
【００２７】
図３のステップＳ１では、各センサ２は、それぞれ、熱、煙等に基づき、火災の発生を感知し続け、火災の発生を感知した際に、ステップＳ２へ進む。この場合には、複数の電池６と制御ユニット７とのうちの火災を感知したセンサ２に対応しているものに火災事故が発生している。
【００２８】
図３のステップＳ２では、火災の発生を感知したセンサ２は、第一の信号（火災感知信号）を出力し、終了する。火災感知信号には、センサ２を識別する番号等が付加されている。
【００２９】
図３のステップＳ３では、制御部５は、火災の発生を感知したセンサ２からの第一の信号の受信を待ち、第一の信号を受信しステップＳ４へ進む。
【００３０】
図３のステップＳ４では、制御部５は、消火手段３に第二の信号（放出指示信号）を出力する。
【００３１】
図３のステップＳ５では、制御部５は、ステップＳ３で受信した火災感知信号に付加された番号のセンサ２に対応するノズル４から消火ガスを放出（噴霧）させる。すなわち、制御部５は、パイプの途中に設定された例えば電磁弁（不図示）に電圧を印加して消火ガスの通路を開き、ノズル４から消火ガスを放出（噴霧）させる。そして、ステップＳ３へ戻る。
【００３２】
図３のステップＳ６では、消火手段３は、制御部５からの第二の信号の受信を待ち、第二の信号を受信しステップＳ７へ進む。
【００３３】
図３のステップＳ７では、消火手段３は、消火ガスの放出を開始する。すでに放出を開始しているときには、消火ガスを放出し続ける。そして、ステップＳ６へ戻る。
【００３４】
これにより、複数のノズル４のうちの、火災の発生が感知されたセンサ２に対応するノズル４のみが消火ガスを放出（噴霧）する。すなわち、複数の電池６と制御ユニット７のうちの、火災が発生したものだけに限定して消火ができる。このため、消火ガスは、全ノズル４から放出されないので、例えば、消火手段３がボンベ等の容器である場合、消火手段３から放出されるガス圧の低下が抑えられ、かつ、放出時間を長くすることができる。
【００３５】
このように、本発明の第２の実施の形態によれば、蓄電装置内の電池以外の制御装置にも火災検出装置を配置したので、電池以外の制御装置で火災が発生しても、制御装置の火災を消火することできる。このため、制御装置の火災の電池への延焼を抑制でき、早急に消火することができる。
【００３６】
尚、上記の説明では、制御ユニットを一つとして説明したが、一つにこだわることなく、複数設定しても良い。この場合には、複数の電池を幾つかの組に分け、各電池の組に、複数の制御ユニットを割当てても良い。
【符号の説明】
【００３７】
１    蓄電装置の消火システム
２    センサ
３    消火手段
４    ノズル
５    制御部
６    電池
７    制御ユニット
【図１】
2016002419.tif 000003
【図２】
2016002419.tif 000004
【図３】
2016002419.tif 000005